(57)【特許請求の範囲】
【請求項１】
第１の画像を表示する命令を受信するステップと、
前記第１の画像のピクセルデータと前記第１の画像の前に表示されている第２の画像のピクセルデータとから合成された合成ピクセルデータを生成するステップと、
第１のピクセルの前記合成ピクセルデータに基づいて、複数の更新モードから第１の更新モードを選択するステップと、
第２のピクセルの前記合成ピクセルデータに基づいて、前記複数の更新モードから前記第１の更新モードとは異なる第２の更新モードを選択するステップと、
前記第１の更新モードに基づいた表示データを第１のパイプラインに記憶するステップと、
前記第２の更新モードに基づいた表示データを第２のパイプラインに記憶するステップと、
前記第１のパイプラインに保存されたデータを、前記第１のピクセルに対し、複数のフレーム期間を含む第１の期間において出力するステップと、
前記第２のパイプラインに保存されたデータを、前記第２のピクセルに対し、複数のフレーム期間を含む第２の期間において出力するステップと、
を含み、
前記第１の期間の少なくとも一部は、前記第２の期間と時間的に重なる
ことを特徴とする電気光学表示デバイスの制御方法。
【請求項２】
電気光学表示デバイスの制御装置であって、
第１の画像を表示する命令を受信する受信部と、
前記第１の画像のピクセルデータと前記第１の画像の前に前記電気光学表示デバイスに表示されている第２の画像のピクセルデータとから合成された合成ピクセルデータを生成するピクセル合成器と、
第１のピクセルの前記合成ピクセルデータに基づいて、複数の更新モードから第１の更新モードを選択し、第２のピクセルの前記合成ピクセルデータに基づいて、前記複数の更新モードから前記第１の更新モードとは異なる第２の更新モードを選択する更新モード選択回路と、
前記第１の更新モードに基づいた表示データを記憶する第１のパイプラインと、
前記第２の更新モードに基づいた表示データを記憶する第２のパイプラインと、
前記第１のパイプラインに保存されたデータを、前記第１のピクセルに対し、複数のフレーム期間を含む第１の期間において出力し、前記第２のパイプラインに保存されたデータを、前記第２のピクセルに対し、複数のフレーム期間を含む第２の期間において出力するタイミング生成回路と、
を含み、
前記第１の期間の少なくとも一部は、前記第２の期間と時間的に重なる
ことを特徴とする電気光学表示デバイスの制御装置。
【請求項３】
前記更新モード選択回路は、
前記第１の画像のピクセルデータと前記第２の画像のピクセルデータとを比較する第１の比較器と、
前記第１の画像のピクセルデータと前記第２の画像のピクセルデータとを比較する第２の比較器と、
前記第１の画像のピクセルデータと前記第２の画像のピクセルデータとを比較する第３の比較器と、
前記第１の比較器の出力に応じて、第１のモードと第２のモードのいずれか一方を選択する第１の選択回路と、
前記第２の比較器の出力に応じて、前記第１の選択回路の出力と第３のモードのいずれか一方を選択する第２の選択回路と、
前記第３の比較器の出力に応じて、前記第２の選択回路の出力と第４のモードのいずれか一方を選択する第３の選択回路と、
を含むことを特徴とする請求項２に記載の電気光学表示デバイスの制御装置。
【請求項４】
前記第１のモード及び前記第２のモードの表示は、前記第４のモードよりも階調数が多いことを特徴とする請求項３に記載の電気光学表示デバイスの制御装置。
【請求項５】
前記第１の比較器、前記第２の比較器及び前記第３の比較器の各々は、
前記第１の画像のピクセルと前記第２の画像のピクセルとの差を、予め設定された第１の値と比較する第４の比較器と、
前記第１の画像のピクセルの光学特性と予め設定された第２の値と比較する第５の比較器と、
前記第２の画像のピクセルの光学特性と予め設定された第３の値と比較する第６の比較器と、
を含むことを特徴とする請求項３又は４に記載の電気光学表示デバイスの制御装置。
【請求項６】
前記更新モード選択回路は、
第１の画像の第１のピクセルと、第１の画像の所定のピクセルが表示される座標と同じ座標に位置する第２の画像の第２のピクセルと、を比較することで、更新モードを選択することを特徴とする請求項２に記載の電気光学表示デバイスの制御装置。
【発明の詳細な説明】
【技術分野】
【０００１】
本発明は例えば双安定電気光学ディスプレイ装置に関し、より具体的に双安定電気光学
ディスプレイ装置の更新操作を自動的に設定することに関する。本明細書において、「デ
ィスプレイ」と「表示（装置）」とは互いに置換可能な用語として用いられている。また
、「パイプ」と「パイプライン」とは互いに置換可能な用語として用いられ、さらに、「
パイプ」、「更新パイプ」および「更新表示パイプ」も同様に互いに置換可能な用語とし
て用いられている。
【背景技術】
【０００２】
ディスプレイ装置はピクセルのアレイを有している。「電気光学」は材料の光学特性が
電界に応答して変化する効果を指す。光学特性は視覚的な外観を含むが、これに限定され
ない。ピクセルの光学特性が電界に応答して変化するようにできるディスプレイ装置は電
気光学ディスプレイ装置である。一般的に、ピクセルが２つの安定状態を有する場合双安
定とみなすことができる。しかし「双安定」の用語は本明細書で複安定、すなわちピクセ
ルが２つ以上の安定状態を有することができること、の意味で使用される。ピクセルの光
学特性が安定しているとみなされるためには、特性が非一時的な期間安定であることが必
要である。このような期間はピクセルの光学特性を変更するのに必要な電界をもたらすの
に要する駆動信号の最小持続時間の４倍であれば非一時的とみなされる。
【０００３】
さまざまな双安定電気光学ディスプレイ装置が知られている。双安定電気光学ディスプ
レイの一種は回転２色体を用いる。異なる光学特徴を持つ２つ以上の区分と内部双極子を
有する多数の小体がマトリクスの液体を充填した微少な空洞に懸濁される。体は電界を印
加することによい回転させることができる。別の種類の双安定電気光学ディスプレイはエ
レクトロクロミック媒体を用いる。さらに別の種類の電気光学ディスプレイは電気湿潤を
用いる。
【０００４】
双安定電気光学ディスプレイ装置の１種は電気泳動、すなわち電界に応答した荷電粒子
の動き、に基づいている。この種のディスプレイにおいて、荷電粒子は電界の印加により
流体の中を動かされる。流体は液体または気体であって良い。粒子はカプセルに封入され
ていることができ、粒子、流体、カプセル、および他の要素が集合的に「封入電気泳動媒
体」と呼ぶことができる。通常封入電気泳動媒体は多数の小カプセルを有してなり、カプ
セルはポリマーバインダー内に保持され２つの電極間に位置する凝集層を形成する。この
種のディスプレイはマイクロカプセル化電気泳動（”ＭＥＰ”）ディスプレイまたは電気
泳動ディスプレイ（”ＥＰＤ”）と呼ぶことができる。
【０００５】
「マイクロセル」電気泳動ディスプレイは別の種類のＥＰＤである。マイクロセル電気
泳動ディスプレイにおいて、荷電粒子および懸濁流体は通常ポリマーフィルムの担体媒体
内に形成される複数の空洞内に保持される。
【０００６】
ＥＰＤはアクティブマトリクスＬＣＤで使用されるものと類似した薄膜トランジスター
（”ＴＦＴ”）アレイを用いて更新され得るようにすることができ、この場合ＥＰＤはア
クティブマトリクスＥＰＤ（”ＡＭＰＥＤ”）と呼ぶことができる。ＥＰＤは太陽光を含
みさまざまな照明条件で良好な読みやすさを提供するので電子リーダーまたは「電子ブッ
ク」での使用に有望な技術である。加えて、ＬＣＤに比べ電力量の消費が低い（例えば引
用文献１参照）。
ＥＰＤはいくつかの異なる更新モードを使用して作動するよう設計されている。「単色
」更新モードはテキストなど、全く黒と白のピクセルからなる画像をリフレッシュするの
に用いることができる。この種の画像はバイレベルまたはビットマップ画像と呼ぶことも
できる。グレースケール更新モードは黒、白、または黒白間のさまざまな濃さのグレーで
あり得るピクセルからなる画像をリフレッシュするのに用いられる。
【０００７】
ＥＰＤを異なる更新モードでリフレッシュするのに要する時間はさまざまである。例え
ば、代表的な単色更新モードの１つは代表的なグレースケース更新モードがＥＰＤを更新
するのに必要とし得る時間の約３分の１を要するかもしれない。一般的には利用できる最
も速い更新モードを用いることが望ましい。しかし、間違った更新モードの使用は画像の
アーティファクトをもたらすかもしれない。
【０００８】
ＥＰＤに表示される画像はおよそ１０分毎、または画像が変わる時にしかリフレッシュ
する必要がないかもしれない。この理由から、ＣＰＵまたは他の画像データソースは通常
具体的に画像更新を要求する必要がある。ＣＰＵが画像更新を要求する場合、更新モード
および追加パラメーターを指定する必要がある。
【先行技術文献】
【特許文献】
【０００９】
【特許文献１】米国特許第７１１９７７２号明細書
【発明の概要】
【発明が解決しようとする課題】
【００１０】
既知のＥＰＤには技術的問題がある。具体的には、ＣＰＵまたは画像データの他のソー
スが更新モードおよびさらなるパラメーターを指定する必要がある。しかし、必要の更新
モードおよび他のパラメーターを決定するために必要な情報はＣＰＵにとって簡単に利用
可能でないかもしれない。さらにパラメーター値の決定はＣＰＵにとって相当な負担とな
るかもしれない。
【００１１】
従って、ＣＰＵまたは画像データの他のソースとＥＰＤなど双安定電気光学ディスプレ
イ装置間のインターフェイスを簡略化する方法および装置の必要がある。
【課題を解決するための手段】
【００１２】
本発明の電気光学表示デバイスの制御方法は、第１の画像を表示する命令を受信するステップと、前記第１の画像のピクセルデータと前記第１の画像の前に表示されている第２の画像のピクセルデータとから合成された合成ピクセルデータを生成するステップと、第１のピクセルの前記合成ピクセルデータに基づいて、複数の更新モードから第１の更新モードを選択するステップと、第２のピクセルの前記合成ピクセルデータに基づいて、前記複数の更新モードから前記第１の更新モードとは異なる第２の更新モードを選択するステップと、前記第１の更新モードに基づいた表示データを第１のパイプラインに記憶するステップと、前記第２の更新モードに基づいた表示データを第２のパイプラインに記憶するステップと、前記第１のパイプラインに保存されたデータを、前記第１のピクセルに対し、複数のフレーム期間を含む第１の期間において出力するステップと、前記第２のパイプラインに保存されたデータを、前記第２のピクセルに対し、複数のフレーム期間を含む第２の期間において出力するステップと、を含み、前記第１の期間の少なくとも一部は、前記第２の期間と時間的に重なることを特徴とする。
電気光学表示デバイスの制御装置は、第１の画像を表示する命令を受信する受信部と、前記第１の画像のピクセルデータと前記第１の画像の前に前記電気光学表示デバイスに表示されている第２の画像のピクセルデータとから合成された合成ピクセルデータを生成するピクセル合成器と、第１のピクセルの前記合成ピクセルデータに基づいて、複数の更新モードから第１の更新モードを選択し、第２のピクセルの前記合成ピクセルデータに基づいて、前記複数の更新モードから前記第１の更新モードとは異なる第２の更新モードを選択する更新モード選択回路と、前記第１の更新モードに基づいた表示データを記憶する第１のパイプラインと、前記第２の更新モードに基づいた表示データを記憶する第２のパイプラインと、前記第１のパイプラインに保存されたデータを、前記第１のピクセルに対し、複数のフレーム期間を含む第１の期間において出力し、前記第２のパイプラインに保存されたデータを、前記第２のピクセルに対し、複数のフレーム期間を含む第２の期間において出力するタイミング生成回路と、を含み、前記第１の期間の少なくとも一部は、前記第２の期間と時間的に重なることを特徴とする。
本発明の電気光学表示デバイスの制御方法の他の態様は、第１の画像を表示する命令を受信するステップと、前記第１の画像のピクセルデータと前記第１の画像の前に表示されている第２の画像のピクセルデータとから合成された合成ピクセルデータを生成するステップと、複数の更新モードから１つの更新モードを選択するステップと、前記選択された更新モードに基づいた表示データをパイプラインに記憶するステップと、前記パイプラインに保存されたデータを所与のタイミングで出力するステップと、を含む。
【００１３】
また、本発明の電気光学表示デバイスの制御方法は、前記合成ピクセルデータは、イン
デックスデータと、前記第１の画像のピクセルデータの一部と、前記第２の画像のピクセ
ルデータの一部と、から生成されることができる。
【００１４】
本発明の電気光学表示デバイスの制御装置は、第１の画像のピクセルデータと前記第１
の画像の前の画像である第２の画像のピクセルデータとから合成された合成ピクセルデー
タを生成するピクセル合成器と、前記ピクセル合成器の出力を受信し、複数の更新モード
から１つの更新モードを選択する更新モード選択回路と、複数の波形から選択された前記
第１の画像の各ピクセルに対応する波形を保存するパイプラインと、を含むことを特徴と
する。
【００１５】
本発明の電気光学表示デバイスの制御装置は、第１の画像のピクセルデータと前記第１
の画像の前の画像である第２の画像のピクセルデータとから合成された合成ピクセルデー
タを生成するピクセル合成器と、前記ピクセル合成器の出力を受信し、複数の更新モード
から１つの更新モードを選択する更新モード選択回路と、複数の波形から選択された前記
第１の画像の第１のピクセルに対応する波形を保存する第１のパイプラインと、複数の波
形から選択された前記第１の画像の第２のピクセルに対応する波形を保存する第２のパイ
プラインと、前記第１のパイプラインからの出力と前記第２のパイプラインからの出力の
いずれか一方を選択して出力するタイミング生成回路と、を含むことを特徴とする。
【００１６】
また、本発明の電気光学表示デバイスの前記更新モード選択回路は、前記第１の画像の
ピクセルデータと前記第２の画像のピクセルデータとを比較する第１の比較器と、前記第
１の画像のピクセルデータと前記第２の画像のピクセルデータとを比較する第２の比較器
と、前記第１の画像のピクセルデータと前記第２の画像のピクセルデータとを比較する第
３の比較器と、前記第１の比較器の出力に応じて、第１のモードと第２のモードのいずれ
か一方を選択する第１の選択回路と、前記第２の比較器の出力に応じて、前記第１の選択
回路の出力と第３のモードのいずれか一方を選択する第２の選択回路と、前記第３の比較
器の出力に応じて、前記第２の選択回路の出力と第４のモードのいずれか一方を選択する
第３の選択回路と、を含むことができる。
【００１７】
また、本発明の電気光学表示デバイスの制御装置は、前記第１のモード及び前記第２の
モードの表示は、前記第４のモードよりも階調数が多いように構成することができる。
【００１８】
また、本発明の前記第１の比較器、前記第２の比較器及び前記第３の比較器の各々は、
前記第１の画像のピクセルと前記第２の画像のピクセルとの差を、予め設定された第１の
値と比較する第４の比較器と、前記第１の画像のピクセルの光学特性と予め設定された第
２の値と比較する第５の比較器と、前記第２の画像のピクセルの光学特性と予め設定され
た第３の値と比較する第６の比較器と、を含むことができる。
【００１９】
また、本発明の電気光学表示デバイスの前記更新モード選択回路は、第１の画像の第１
のピクセルと、第１の画像の所定のピクセルが表示される座標と同じ座標に位置する第２
の画像の第２のピクセルと、を比較することで、更新モードを選択することを特徴とする
ことができる。
【００２０】
本発明の電気光学表示デバイスの制御方法は、（ａ）画像を表示する命令を受信するス
テップと、（ｂ）前記画像のピクセルと前の画像のピクセルとから合成されたピクセルデ
ータを生成するステップと、（ｃ）設定可能な少なくとも１つの条件が真であるか決定す
るために前記画像のピクセルと前記前の画像の対応するピクセルとを比較するとともに、
前記少なくとも１つの条件が真である場合に２つ以上の更新モードから１つの更新モード
を選択して、当該１つの更新モードを決定するステップと、（ｄ）パイプラインに前記画
像の各ピクセルに対し波形を決定させて前記波形をインパルスデータとして表示装置に伝
送させるステップとを有することを特徴とする。
【００２１】
また、本発明の電気光学表示デバイスの制御方法において、前記電気光学表示デバイス
は電気泳動表示デバイスを含むことを特徴とする。
【００２２】
また、本発明の電気光学表示デバイスの制御方法において、前記選択された更新モード
に従い２つ以上のパイプラインから１つのパイプラインを選択するステップをさらに有す
ることを特徴とする。
【００２３】
また、本発明の電気光学表示デバイスの制御方法において、前記電気光学表示デバイス
は電気泳動表示デバイスを含むことを特徴とする。
【００２４】
また、本発明の電気光学表示デバイスの制御方法において、前記条件は、前記画像と前
記前の画像との各々対応するピクセル間の光学特性の差を予め定められた差と比較するこ
とを特徴とする。
【００２５】
また、本発明の電気光学表示デバイスの制御方法において、前記条件は、前記画像のピ
クセルの光学特性を予め定められた光学特性と比較することを特徴とする。
【００２６】
また、本発明の電気光学表示デバイスの制御方法において、前記条件は、前記前の画像
のピクセルの光学特性を予め定められた光学特性と比較することを特徴とする。
【００２７】
また、本発明の電気光学表示デバイスの制御方法において、前記２つ以上の更新モード
は、単色更新モード、ペン更新モード、およびグレースケール更新モードを有することを
特徴とする。
【００２８】
ここで、本発明の電気光学表示デバイスの制御装置は、画像のピクセルと前の画像のピ
クセルとから合成されたピクセルデータを生成する第１装置と、設定可能な少なくとも１
つの条件が真であるか決定するために前記画像のピクセルと前記前の画像の対応するピク
セルとを比較するとともに、前記少なくとも１つの条件が真である場合に２つ以上の更新
モードから１つの更新モードを選択して、当該１つの更新モードを決定する第２装置と、
前記画像の各ピクセルに対し波形を決定し、前記波形をインパルスデータとして表示装置
に伝送させる少なくとも１つのパイプライン装置とを有することを特徴とする。
【００２９】
また、本発明の電気光学表示デバイスの制御装置において、前記電気光学表示デバイス
は電気泳動表示デバイスを含むことを特徴とする。
【００３０】
また、本発明の電気光学表示デバイスの制御装置において、前記選択された更新モード
に従い２つ以上のパイプラインからパイプラインを選択するパイプライン選択装置をさら
に有することを特徴とする。
【００３１】
また、本発明の電気光学表示デバイスの制御装置において、前記条件は、前記画像と前
記前の画像との各々対応するピクセル間の光学特性の差を予め設定された差と比較するこ
とを特徴とする。
【００３２】
また、本発明の電気光学表示デバイスの制御装置において、前記条件は、前記画像のピ
クセルの光学特性を予め設定された光学特性と比較することを特徴とする。
【００３３】
また、本発明の電気光学表示デバイスの制御装置において、前記条件は、前記前の画像
のピクセルの光学特性を予め設定された光学特性と比較することを特徴とする。
【００３４】
また、本発明の電気光学表示デバイスの制御装置において、前記２つ以上の更新モード
は単色更新モード、ペン更新モード、およびグレースケール更新モードを有することを特
徴とする。
【００３５】
一方、本発明の電気光学表示デバイスは、画像のピクセルと前の画像のピクセルとから
合成されたピクセルデータを生成する第１装置と、設定可能な少なくとも１つの条件が真
であるか決定するために前記画像のピクセルと前記前の画像の対応するピクセルとを比較
するとともに、前記少なくとも１つの条件が真である場合に２つ以上の更新モードから１
つの更新モードを選択して、当該１つの更新モードを決定する第２装置と、前記画像の各
ピクセルに対し波形を決定し、前記波形をインパルスデータとして表示装置に伝送させる
少なくとも１つのパイプライン装置とを有することを特徴とする。
【００３６】
また、本発明の電気光学表示デバイスにおいて、前記電気光学表示デバイスは電気泳動
表示デバイスであることを特徴とする。
【００３７】
また、本発明の電気光学表示デバイスにおいて、前記選択された更新モードに従い２つ
以上のパイプラインからパイプラインを選択するパイプライン選択装置をさらに有するこ
とを特徴とする。
【００３８】
また、本発明の電気光学表示デバイスにおいて、前記条件は、前記画像と前記前の画像
との各々対応するピクセル間の光学特性の差を予め設定された差と比較することを特徴と
する。
【００３９】
また、本発明の電気光学表示デバイスにおいて、前記条件は、前記画像のピクセルの光
学特性を予め設定された光学特性と比較することを特徴とする。
【００４０】
また、本発明の電気光学表示デバイスにおいて、前記条件は、前記前の画像のピクセル
の光学特性を予め設定された光学特性と比較することを特徴とする。
【００４１】
また、本発明の電気光学表示デバイスにおいて、前記２つ以上の更新モードは単色更新
モード、ペン更新モード、およびグレースケール更新モードを有することを特徴とする。
【図面の簡単な説明】
【００４２】
【図１】本発明のディスプレイ装置、ディスプレイコントローラー、およびディスプレイメモリーを有するシステムのブロック図である。
【図２】図１のディスプレイ装置をより詳細に示す概略図である。
【図３】図２のディスプレイ装置における電気泳動媒体の一部の概略図である。
【図４】図１のディスプレイコントローラーおよびディスプレイメモリーをより詳細に示す概略図である。
【図５】図４のディスプレイコントローラーにおける更新モード選択装置を示すブロック図で、更新モード選択装置は複数の比較装置を含む図である。
【図６】図５の比較装置をより詳細に示すブロック図である。
【発明を実施するための形態】
【００４３】
以下本発明の実施の形態について説明する。はじめに本発明の概要は以下となる。
【００４４】
発明の原理を具現する装置は第１装置および第２装置、ならびに少なくとも１つのパイ
プライン装置を含む。第１装置は画像のピクセルおよび先行する画像のピクセルから合成
ピクセルデータを生成する。第２装置は画像のピクセルを先行する画像の対応するピクセ
ルと比較して少なくとも１つの条件が真であるか判定することにより更新モードを決定す
る。条件は設定することができる。加えて、第２装置は第１条件が真の場合２つ以上の更
新モードから更新モードを選択する。パイプライン装置は画像の各ピクセルに対し波形を
決定し、波形をインパルスデータとして双安定電気光学ディスプレイ装置に伝送する。
【００４５】
装置はさらに選択した更新モードに従い２つ以上のパイプラインからパイプラインを選
択するパイプライン選択装置を含むことができる。
【００４６】
発明の原理を具現する双安定電気光学ディスプレイ装置および方法も開示される。
【００４７】
発明の原理による方法および装置はＣＰＵまたは画像データの他のソース（「ホスト」
）と双安定電気光学ディスプレイ装置の間のインターフェイスを、ホストが最良の更新モ
ードおよびどのパイプラインを使用するかを決定せずに済ませることにより簡略化する。
【００４８】
本概要は図面および詳細な説明において続くものを全般的に記述するために提供され、
発明の範囲を限定する意図はない。発明の目的、特長、および利点は添付図面と併せて以
下の詳細な説明を検討すれば容易に理解されよう。
【００４９】
以下の図面および説明で、図面および説明において一般的に同じまたは類似する部分、
要素、または工程を一般的に指すのに同じ参照番号が用いられる。
【００５０】
図１はホスト２２、ディスプレイ装置２４を有するシステム２０のブロック図である。
ホスト２２は、例えば、ＣＰＵ、ＤＳＰ（デジタルシグナルプロセッサー）、またはディ
スプレイコントローラー２８とインターフェイスできるデバイスである。ディスプレイ装
置２４は、例えば、双安定電気光学ディスプレイ２６を含む。ディスプレイ２６は、例え
ば、電気泳動ディスプレイである。ディスプレイ２６は、ＡＭＰＥＤ（アクティブマトリ
クス電気泳動ディスプレイ）またはパッシブ駆動電気泳動ディスプレイであっても良い。
【００５１】
システム２０は、ディスプレイコントローラー２８およびシステムメモリー３０を含む
。システム２０は、さらにディスプレイメモリー３２、波形メモリー３４（ウェーブフォ
ームメモリー）、温度センサー３６、および電源モジュール３８も含む。
【００５２】
図２は、図１のディスプレイ装置２４をより詳細に示す概略図である。双安定電気光学
ディスプレイとしてのディスプレイ２６は、複数のピクセル４０で構成されたピクセルの
アレイを含む。複数のピクセル４０の各々は、ＴＦＴなどの能動スイッチ素子（図示せず
）を含む。スイッチ素子は、行ドライバー４２（ゲートドライバー）および列ドライバー
４４（ソースドライバー）により選択され駆動される。図１では、列ドライバー４４が１
つ図示されているが、１つのディスプレイコントローラー２８に対して複数の列ドライバ
ーを用い、１つ又は複数のディスプレイにそれらの列ドライバーが接続されていてもよい
。行ドライバー４２は、複数の行電極の中から１本の行電極４６を選択し、選択された行
におけるすべてのスイッチ素子をオンにすることができる。列ドライバー４４は選択され
た列電極４８にデータ信号を供給する。それにより行ドライバー４２によって選択された
行および列ドライバー４４によって選択された列電極の交差点に位置するピクセルに電圧
を提供することができる。
【００５３】
図３はディスプレイ２６の部分を断面で示す概略図である。図３に示す図はアクティブ
マトリクス電気泳動ディスプレイの一実施形態である。
【００５４】
複数のマイクロカプセル５４がピクセル電極５９、ピクセル電極６１間に挟まれている
。ピクセル電極５９は透明である（可視光を透過する）。各ピクセルは３つ以上のマイク
ロカプセル５４（５４ａ，５４ｂ，５４ｃ）に対応する。各マイクロカプセル５４は、流
体６０に浮遊し正の電気を帯びた白粒子５６および負の電気を帯びた黒粒子５８を含む。
【００５５】
ピクセル電極５９は所定の電圧に保持することができる。図２の行電極４６および列電
極４８を用いて電極６１に印加される電圧を制御することができる。ピクセル電極５９，
６１を用いて特定ピクセルのマイクロカプセル５４に電界を設定することができる。電界
が正の場合、白粒子５６は行電極４６（図２参照）に電気的に接続されたピクセル電極５
９の方向に動き、その結果ピクセル電極５９側から見たピクセルの見かけはより白くなる
。逆に、電界が負の場合、黒粒子５８がピクセル電極５９の方向に動き、その結果ピクセ
ル電極５９側から見たピクセルの見かけはより黒くなる。マイクロカプセル５４ａは完全
に白いピクセルの簡略化された描写で、マイクロカプセル５４ｂは完全に黒いピクセルの
簡略化された描写である。加えて、マイクロカプセル５４ｃは完全に白または黒以外のグ
レースケール値、すなわちグレーを表示しているピクセルを図示する。特定の光学的外観
、例えば黒、白、またはグレー、を有するピクセルを生成するには、通常、電圧パルスの
シーケンスがピクセル電極に印加される。電圧パルスの具体的なシーケンスまたは波形は
、中でもピクセルの望まれる新しい外観による。ディスプレイ２６の表示が更新される際
、波形（所望の駆動電圧）が列電極４８を介してディスプレイの各ピクセルに印加される
。印加される具体的な波形はピクセルの更新後の表示及び更新前の表示に基づいて選択さ
れる。
【００５６】
ピクセルの電極に適当な極性、持続時間、および振幅の電圧パルスを印加することによ
りピクセルを黒、白、またはある濃さのグレーの強度に駆動することができる。ピクセル
に印加する電圧パルスは持続時間、振幅、または持続時間と振幅双方に関し変調すること
ができる。さらに、電圧パルスは単一のパルスまたは単一のパルスに近似する２つ以上の
離散したパルスとして印加することができる。ここで、単一のパルスとは、非アクティブ
の状態からアクティブの状態に遷移して、再び非アクティブに遷移する信号のことを言う
。２つ以上の離散したパルスとは、上記の遷移を２回以上繰り返す信号のことである。例
えば、２つの離散したパルスとは、非アクティブの状態からアクティブの状態に遷移した
後に非アクティブ状態に遷移し、再びアクティブの状態に遷移した後に非アクティブ状態
に遷移する信号のことである。
【００５７】
電気泳動ディスプレイのピクセルはパルス列により駆動される。パルス列は複数のパル
スで構成され、「波形（waveform）」とも呼ばれる。特定ピクセルを駆動するのに用いら
れる波形はピクセルの新しい外観または光学状態および他の種々の要素による。駆動波形
の選択に重要な要素の１つはピクセルの初期（または現在）の光学状態とともにピクセル
の前の光学状態である。駆動波形の選択に重要な他の要素には、温度および滞留時間、す
なわち新状態に駆動される前にピクセルがどれだけ長く初期状態にあったかが含まれる。
【００５８】
ＥＰＤは数個の異なる更新モードを用いて作動することができる。本実施形態では、単
色更新モード、グレースケール更新モード及びペンモードの３種類の更新モードを用いて
ＥＰＤが動作する。
【００５９】
単色更新モードは２値画像をリフレッシュするのに用いることができる。すなわち、白
又は黒を表示するための電圧パルスがＥＰＤに送信される。グレースケール更新モードは
黒、白、または黒と白の間になるある濃さのグレーのピクセルからなる画像をリフレッシ
ュするのに用いられる。
【００６０】
ペンモードは、例えばディスプレイ上で描画された画像をセンサーで読み込み、表示さ
れている画像データにセンシングで入力した画像データを重ねてディスプレイに表示する
モードである。ペンモードは、２値または複数のグレーピクセルからなる画像をリフレッ
シュするのに用いることができる。本実施形態では、ペンモードは現行画像を２値ピクセ
ルで更新する。他の更新モードはディスプレイ全体が白、黒、またはある濃さのグレーに
駆動されるモードを含む。各更新モードは異なる駆動機構（drive scheme）を用いる。
【００６１】
駆動機構は任意の特定ピクセルを、現在の光学状態から任意の新しい光学状態に駆動す
る波形の組（set）である。言い換えれば、駆動機構は可能なピクセル遷移の各々に対す
る波形を有する。
【００６２】
可能なピクセル遷移の数は特定の電気泳動ディスプレイが表示し得る光学状態の数によ
る。２値ピクセルの場合は、２つの可能な光学状態および２つの可能なピクセル遷移があ
る。例えば、ピクセルの表示が白から黒、黒から白へ遷移する２つのピクセル遷移がある
。従って、２値駆動機構は２つの波形を有してなることができる。なお、表示が白から白
、黒から黒へと切り換わるような表示が遷移しない場合でも、色を変化させないために所
定の波形を選択することもできる。
【００６３】
２ビットピクセルの場合、４つの可能な状態（黒、濃いグレー、淡いグレー、および白
）および「１６」の可能な遷移がある。８ビットピクセルの場合、６４種類の状態および
４，０９６種類の遷移がある。
【００６４】
前述した複数の更新モードの各々は複数の波形の組を含む。各組は特定環境、例えば特
定温度において作動される特定の電気泳動ディスプレイの種類に対して用いられる。
【００６５】
図４はディスプレイコントローラー２８およびディスプレイメモリー３２をより詳細に
示すブロック図である。
【００６６】
ディスプレイメモリー３２は、画像バッファー７８および更新バッファー８２を含む。
ディスプレイメモリー３２はＲＡＭであって良い。さらに、画像バッファー７８と更新バ
ッファー８２が同じメモリー素子に存在していなくてもよく、画像バッファー７８が設け
られたメモリー素子と更新バッファー８２が設けられたメモリー素子が別のメモリー素子
であってもよい。
【００６７】
ホスト２２または他の画像データソースは、画像バッファー７８に画像または画像の一
部を記憶することができる。画像または画像の一部はピクセルデータである。画像バッフ
ァー７８へはリフレッシュ操作中ほとんどの期間にアクセスすることができる。例外の１
つとして、後述するピクセル合成操作がある。このように、ホスト２２は画像バッファー
７８を通常のフレームバッファーのように扱うことができる。
【００６８】
更新バッファー８２は現在の画像（広義の「第１の画像」）および次の画像（広義の「
第２の画像」）に関するピクセル遷移を記憶する。ピクセル遷移はある特定ピクセルにつ
いて、現在の光学状態および次の光学状態からなる。具体的に、更新バッファー８２はデ
ィスプレイの各ピクセルについて次のピクセルＮＰおよび現行ピクセルＣＰを記憶する。
【００６９】
例えば、画像バッファー７８に１ピクセルあたりｎビットのデータが記憶され、更新バ
ッファー８２には、波形メモリー３４から読み出されたヘッダー、現在の画像の１ピクセ
ルあたりｍビット（ｍ＜ｎ、例えばｍ＝ｎ／２）、及び次の画像の１ピクセルあたりｍビ
ットのデータが保存される。更新バッファー８２はピクセル合成器９０または更新パイプ
８４などディスプレイコントローラー２８の内部コンポーネントによりアクセスできる。
ここで、現在の画像とは、ディスプレイ２６に表示されている画像に対応する画像データ
である。ディスプレイ２６の画像が更新中の場合、現在の画像は更新前の画像に対応する
画像データであり、次の画像は更新後の画像に対応する画像データである。現行ピクセル
ＣＰ、次のピクセルＮＰも同様である。
【００７０】
ディスプレイコントローラー２８は複数の更新パイプ８４を含む。一実施形態で、ディ
スプレイコントローラー２８は１６個の更新パイプ８４を含む。別の実施形態として、デ
ィスプレイコントローラー２８は更新パイプ８４を１つだけ含んでも良い。
【００７１】
更新パイプ８４をディスプレイの特定領域に割り当てることもできるが、これは必須で
はない。具体的に、更新パイプ８４をディスプレイの任意の領域を更新するために選択で
きることを以下に説明される。更新パイプ８４の出力はタイミング生成装置８６に供給さ
れる。
【００７２】
リフレッシュ操作はホスト２２が画像バッファー７８に記憶される新しいピクセルをデ
ィスプレイコントローラー２８に送信することで開始される。ホスト２２は画像バッファ
ー７８に全フレームまたは全フレーム未満を記憶することができる。ホスト２２はディス
プレイコントローラー２８に「画像表示」命令または「部分画像表示」命令（図４の更新
ＣＭＤ）を送信することによりいつでもリフレッシュ操作を開始することができる。
【００７３】
リフレッシュ操作中、ピクセル合成器９０はリフレッシュ操作に使用されるピクセルデ
ータを合成する。更新モード選択装置８８は、更新モードを選択する。例えば、前述の単
色更新モード、グレースケール更新モード及びペンモードの中から選択する。パイプ選択
装置８９は、更新パイプ８４を選択する。本実施形態においては、更新パイプ８４ａ〜更
新パイプ８４ｎのｎ個の更新パイプの中から１つの更新パイプを選択する。
【００７４】
リフレッシュ操作が開始された瞬間、すなわちホスト２２から画像の更新命令を受信し
たとき、次のピクセルＮＰは、現在、ディスプレイ２６に表示されているピクセルの光学
状態と対応している。また、現行ピクセルＣＰは、現在、ディスプレイ２６に表示されて
いるピクセルの前の光学状態に対応している。
【００７５】
ピクセル合成器９０は、画像バッファー７８から次に表示される画像のピクセルを読み
出す。また、ピクセル合成器９０は、画像バッファー７８から読み出した新しいピクセル
に対応する（ディスプレイ２６の同じ座標に表示される）次のピクセルＮＰを更新バッフ
ァー８２から読み出す。ピクセル合成器９０は、画像バッファー７８から読み出されたピ
クセルの全部又は一部を更新バッファー８２に記憶する。
【００７６】
合成操作において、画像バッファー７８から読み出した新しいピクセルは更新バッファ
ー８２に次のピクセルＮＰとして記憶される。更新バッファー８２から読み出された次の
ピクセルＮＰは更新バッファー８２に現行ピクセルＣＰとして記憶され、前に記憶された
ＣＰを置き換える。
【００７７】
このように、ピクセル合成器９０は現在表示される画像と次に表示される画像に関する
ピクセル遷移を記憶する。ピクセルの新しいＮＰ、ＣＰの対は合わせて波形データを調べ
るインデクスとして用い得る新規ピクセル遷移を定義する。ピクセル合成操作中、ホスト
２２は画像バッファー７８を利用できない場合もあるが、合成操作を迅速に行うことがで
きるので合成操作を行うことでリフレッシュ操作時間を短縮できる可能性がある。
【００７８】
更新モード選択装置８８は更新モードを選択する。図５を参照すると、更新モード選択
装置８８がより詳細に示される。図５の更新モード選択装置８８は一実施形態で、比較装
置９２（９２ａ〜９２ｃ）を含む。別の実施形態として、更新モード選択装置８８が比較
装置９２を図５より多く含んでいても良いし、逆に図５より少なくても良い。更新モード
選択装置８８はさらに更新モードを表す値を記憶するレジスター９６および選択装置９８
も含む。更新モード選択装置８８はピクセルを１つずつ処理する。一実施形態で、次のピ
クセルＮＰおよびそれに対応する現行ピクセルＣＰの値がピクセル合成器９０から比較装
置９２の各々、比較装置９２ａ，９２ｂ，９２ｃに供給される。この実施形態で、ピクセ
ル合成器９０および更新モード選択装置８８は同時に動作することができる。別の実施形
態で、更新モード選択装置８８は次のピクセルＮＰおよび現行ピクセルＣＰを更新バッフ
ァー８２から得ることができる。
【００７９】
図６に比較装置９２の詳細な構成を示す。図５の比較装置９２に含まれる比較装置９２
ａ，９２ｂ，９２ｃの各々は、閾値比較モジュール１００、現行ピクセル比較モジュール
１０２、および次のピクセル比較モジュール１０４の３つの比較モジュールを含む。各モ
ジュールは設定可能である。例えば、一実施形態で、モジュールはホスト２２または別の
装置により指定される制御ビットを用いてパラメーターの設定ができる。
【００８０】
閾値比較モジュール１００について説明する。閾値比較モジュール１００に閾値として
設定されているパラメーターは、現行ピクセルのピクセル値および次のピクセルのピクセ
ル値との最小差である。閾値比較モジュールのパラメーターとして、例えばピクセル値の
ビット数が記憶される。一実施形態で、閾値比較モジュール１００パラメーターは「０」
から「２５５」の間で任意の値にすることができる。
【００８１】
現行ピクセルのピクセル値と次のピクセルのピクセル値との差が、閾値比較モジュール
１００に設定された差パラメーター以上である場合、比較結果は真で、閾値比較モジュー
ル１００は出力に「１」をアサートする。そうでない場合、結果は偽、すなわち閾値比較
モジュール１００は出力にゼロをアサートする。一例として、差パラメーターが２５５に
設定されている場合、比較結果はＣＰ＝０かつＮＰ＝２５５、またはＣＰ＝２５５かつＮ
Ｐ＝０の２つの場合にのみ真で、他の場合は全て偽となる。別の実施形態において、ピク
セル値の最大差で最小差を置き換えることができる。
【００８２】
次いで、現行ピクセル比較モジュール１０２について説明する。現行ピクセル比較モジ
ュール１０２のパラメーターは現行ピクセルの値である。現行ピクセルＣＰが現行ピクセ
ルパラメーター値に等しければ、比較結果は真で現行ピクセル比較モジュール１０２は１
を出力する。そうでない場合ゼロが出力される。一例として、ピクセル状態が８ビットで
定義されＣＰ比較モジュールが「２５５」に設定されている場合、比較結果はＣＰ＝２５
５かつＮＰが「０〜２５５」のいずれかの２５６通りの場合に真になる。
【００８３】
別の実施形態として、現行ピクセル比較モジュール１０２のパラメーターは現行ピクセ
ルより時間的に前のピクセルの値、例えば現行ピクセル値のすぐ前のピクセル値であって
もよい。本実施形態では、比較するパラメーターをピクセル値にしたが、ピクセル値以外
の光学特性を比較してもよい。
【００８４】
最後に、次のピクセル比較モジュール１０４のパラメーターについて説明する。同様に
、次のピクセル比較モジュール１０４のパラメーターは次のピクセルの値であることがで
きる。次のピクセルＮＰが次のピクセルパラメーター値に等しければ比較結果は真で、次
のピクセル比較モジュール１０４は出力に「１」をアサートする。そうでない場合、ゼロ
が出力される。例えば、ピクセル状態が，８ビットで定義されＣＰ比較モジュールが「２
５５」に設定されている場合、比較結果はＣＰが「０〜２５５」のいずれかでかつＮＰ＝
２５５の２５６通りの場合に真になる。
【００８５】
閾値比較モジュール１００は、常に有効になっているが、差をゼロに指定することによ
り事実上無効にすることができる。次のピクセル比較モジュール１０４および現行ピクセ
ル比較モジュール１０２は、各々信号ＣＰ＿ＥＮおよび信号ＮＰ＿ＥＮにより有効または
無効にすることができる。作動の際、新フレームの開始においてレジスターＲが「論理１
（または真）」にリセットされる。ピクセル毎の比較プロセス中、比較結果が偽になった
場合、レジスターＲは「論理２（または偽）」にリセットされる。閾値比較モジュール１
００は単色型ピクセル遷移を検出するのに用いることができ、現行ピクセル比較モジュー
ル１０２、次のピクセル比較モジュール１０４はペン型ピクセル遷移を検出するのに用い
ることができる。モジュールは他の広範囲なピクセル遷移を検出するようプログラムでき
る。
【００８６】
図５に戻ると、比較装置９２ａ〜９２ｃは比較装置に優先度が割り当てられる。本実施
形態では、比較装置９２ａが最高優先度を有する。線９４ａ上の比較装置９２ａの出力が
高（真）である場合、比較装置９２ｂ，９２ｃの出力結果に関わらず選択装置９８ａによ
り「モード０」が選択される。
【００８７】
比較装置９２ｂは比較装置９２ａの次に高い優先度を有する。線９４ａ上の比較装置９
２ａの出力が低（偽）である場合、選択装置９８ｂの出力が選択装置９８ａにより選択さ
れる。これにより次に、線９４ｂ上の比較装置９２ｂの出力が高（真）である場合「モー
ド１」が更新モード選択装置８８から出力される。
【００８８】
比較装置９２ｃは３番目の優先度を有する。比較装置９２ａ〜９２ｃのすべての出力が
偽信号である場合、「デフォルトモード２」が更新モード選択装置８８の出力に供給され
る。別の実施形態において、比較装置９２ａ〜９２ｃは装置の相対的優先度が図５に示す
ものと異なる形で設定されることができる。
【００８９】
下記の表１はピクセル状態が８ビットで定義される一例によりさらに図５の更新モード
選択装置８８の働きを示す。
【００９０】
【表１】
0005304914.tif 000002
【００９１】
表１から分かるように、「比較装置０」は黒から白および白から黒のピクセル遷移のみ
を検出する。これらが更新領域の唯一の遷移である場合ＭＵ（単色更新）組の波形が選択
される。「比較装置１」および「比較装置２」は各々可能なすべてのＰＵ（ペン更新）型
遷移の半分を検出する。このようにして、「比較装置０」、「比較装置１」及び「比較装
置２」を用いて、ピクセルの遷移モードを判定する。
【００９２】
リフレッシュ操作は全表示面を更新することができる。あるいは、全表示面は複数の領
域に分割し、一部の領域の表示を更新することもできる。ホスト２２は部分画像表示命令
を用いて全フレームの所望の領域を表示することができる。また、複数の更新パイプ８４
のうち一部の更新パイプを用いて全表示面または全表示面の一部の領域をリフレッシュす
ることができる。
【００９３】
一実施形態で、２つ以上の領域に対するリフレッシュ操作を平行して進めることができ
る。各領域の更新は別個の更新パイプ８４により行われる。例えば、第１の領域の更新は
更新パイプ８４ａを用いて行い、第２の領域の更新は更新パイプ８４ｂ及び更新パイプ８
４ｃを用いて行うことができる。本実施形態において、更新モード選択装置８８を用いて
複数のピクセルの各々について更新モードを判定することができる。さらに、別の実施形
態として、各領域に対するリフレッシュ操作は異なる更新モードを用いることもできる。
例えば、第１の領域は単色更新モードで、第２の領域はグレースケール更新モードで、第
３の領域はペンモードを用いることもできる。更新モード選択装置８８を用いて全フレー
ムに対する更新モードを決定することができる。あるいは、更新モード選択装置８８を用
いてフレームの１つ以上の領域に対する更新モードを決定することができる。
【００９４】
更新モード選択装置８８を用いる利点の１つは、使用すべき最良の更新モードをホスト
２２が決定しなくて済むことである。さらに、ホスト２２上で動作するソフトウェアはレ
イヤーからなることができ、より低い層がより高い層にサービスを提供するが、同時実施
の詳細をより高い層から遮蔽または隠す。更新モード選択装置８８は、より高レベルで動
作するソフトウェアが画像表示および部分画像表示命令を使用することを許すが、ソフト
ウェアは最高速更新モードを決定するために前の画像の記録を取って置く必要がない。こ
れは高レベルソフトウェアの設計を簡単にするだけでなく、許可されない更新モードを選
択することによるソフトウェアの不注意なミスを予防することができる。さらに更新モー
ド選択装置８８を設定できることは、本明細書に説明されるもの以外の更新モードまたは
新規に開発され利用可能になる更新モードとの使用にディスプレイコントローラー２８を
容易に適応させることができる。
【００９５】
一実施形態で、パイプ選択装置８９は更新パイプ８４を選択する。更新モード選択装置
８８の出力、すなわち全フレームまたは所望の領域に対する最良の更新モードがパイプ選
択装置８９に提供される。パイプ選択装置８９はこのように提供された更新モードを用い
て複数の更新パイプから、リフレッシュで使用する更新パイプを選択することができる。
パイプ選択装置８９が更新パイプを選択する方法の１つを下記の表２に示す。
【００９６】
【表２】
0005304914.tif 000003
【００９７】
表２に示されるパイプ割り当て方法は、ディスプレイコントローラー２８に１６個の更
新パイプ８４が備わっている場合の実施形態である。表２に示される仕組みは比較的高速
の更新モードに比較的少数の更新パイプが提供され、比較的低速の更新モードに比較的多
数の更新パイプが提供される。換言すると、表示する画像の階調数が多い更新モードでは
、階調数の少ない更新モードよりも更新パイプの数を多く割り当てている。これにより、
ディスプレイ２６の更新負荷のバランスを取ることができる。具体的に、単色更新モード
およびペン更新モードは約２６０ｍｓ必要で、グレースケール更新モードは約８００ｍｓ
必要であり得る。言い換えれば、更新すべき領域のサイズ（更新するピクセルの数）を問
わず、グレースケール更新モードでのリフレッシュ操作は他の更新モードの１つでのリフ
レッシュ操作より３倍かかる。具体的には、１フレーム２０ｍｓで、単色更新モードとペ
ン更新モードでは１３フレーム、グレースケール更新モードでは４０フレームの更新期間
が必要になる。すなわち、１つのピクセルを更新するために必要な波形の長さが約３倍に
なる。１つのピクセルを更新するために必要な更新パイプの容量が約３倍になる。そのた
め、利用可能な更新パイプ８４の５０パーセントを他の更新モードより３倍かかる更新モ
ードに割り当てる。これより、部分画像表示命令は利用可能な表示パイプすべてが動作中
のため、リフレッシュ動作を待機する可能性が低くなる。
【００９８】
上述の割り当て仕組みは一例として提供されるが、決定された更新モードを用いて類似
した負荷バランスの利点を提供する他の可能な割り当て仕組みも実施し得る。他の割り当
て仕組みは特定用途において予想される更新の種類を考慮に入れることができる。
【００９９】
動作中、パイプ選択装置８９により選択された更新パイプ８４はその割り当てられた領
域に対する合成ピクセルデータを更新バッファー８２から読み取り指定領域のピクセルに
対する波形を選択する。
【０１００】
パイプ選択装置８９を設ける一利点は、ホスト２２が全画像表示命令または部分画像表
示命令を発行した際どの更新パイプ８４を使用すべきかを決定しなくて済むことである。
パイプ選択装置８９を設ける別の利点は、画像表示命令が利用できる更新表示パイプを待
たねばならない可能性が小さいことである。
【０１０１】
波形を選択するために、ピクセル遷移の各々が波形ルックアップテーブル（ＬＵＴ）の
インデクスとして用いられる。波形は波形メモリー３４に記憶されている。一実施形態で
、波形メモリー３４はシリアルフラッシュメモリーであって良い。更新パイプ８４は更新
モード選択装置８８によりパイプに提供された指定更新モードに対応するすべての可能性
のある波形の組を波形メモリー３４内で特定する。
【０１０２】
更新モード選択装置８８の指示に基づいて波形メモリー３４から選択された波形をディ
スプレイコントローラー２８に送信する。１ピクセルごとの波形を送信しても良いし、複
数ピクセルの波形をまとめて送信してもよい。別の実施形態において、波形メモリー３４
から全ての波形をディスプレイコントローラー２８に送信し、ディスプレイコントローラ
ー２８内で、それらの波形から所望の波形を選択してもよい。さらに、別の実施形態とし
て、ディスプレイコントローラー２８内に波形メモリー３４に保存されている波形の全て
又は一部をコピーして保存するメモリーを有していても良い。この場合、波形メモリー３
４とディスプレイコントローラー２８間の通信速度が遅くても、ディスプレイ２６の更新
の遅延を防ぐことができる。
【０１０３】
ディスプレイを構成するピクセルのアレイまたは「フレーム」はラスター順にアドレス
指定される。フレームのすべてのピクセルをスキャンするのに必要な時間はフレーム周期
である。波形が単一のパルスからなる場合、波形は１フレームの持続時間を有する。しか
し、通常、波形は複数のパルスを有する。従って波形に基づいた駆動電圧は通常複数のフ
レームでディスプレイ２６に供給される。言い換えると、所望の領域の表示を更新するに
は、１フレーム期間で更新できず複数のフレーム期間を経て更新される。例えば、第１の
領域をグレースケール更新モードで更新し、第２の領域を単色モードで更新し、第３の領
域をペン更新モードで更新する場合、第１の領域は第１のフレーム〜第８のフレームの期
間で更新され、第２の領域は第４のフレーム〜第６のフレーム期間で更新され、第３の領
域は第６のフレーム〜第８のフレーム期間で更新される実施形態が考えられる。
【０１０４】
フレームにおけるパルスの電圧は正または負の極性を有する単一電圧振幅である。例え
ば、電圧振幅は＋１５Ｖ、−１５Ｖのいずれかである。あるいは、パルスの電圧は正また
は負の電圧、または０Ｖである。例えば電圧振幅は＋１５Ｖ、−１５Ｖのいずれか、また
は０Ｖである。しかしパルスが２つまたは３つの振幅に限定される必要はない。ピクセル
を駆動する波形は所望の異なる振幅の大きさを有することができる。例えば４種類以上の
電圧レベルを有する波形であってもよい。
【０１０５】
更新モード周期の各フレームについて更新パイプ８４は現行フレームに対するすべての
ピクセル遷移のインパルスをコピーし、現行フレームのインパルスをパイプ内のルックア
ップ表に記憶する。しかし、更新パイプ８４は各フレームにおける波形全体をコピーする
のではなく、現行フレームに関連する波形の部分のみ、例えば１パルス、がコピーされる
。加えて、各フレームに対し更新パイプ８４はその割り当てられた領域に対するピクセル
遷移をラスター順で更新バッファー８２から取り出す。パイプ内のルックアップ表に記憶
された現行フレームのインパルスデータを用い、更新パイプ８４は取り出された各ピクセ
ル千期に対応する現行フレームに対するインパルスデータを突き止める。更新パイプ８４
はインパルスデータをタイミング生成装置８６に提供する。
【０１０６】
タイミング生成装置８６はすべてのフレーム周期に画像の位置をラスター順に通り、現
行ピクセル位置に対応するインパルスデータを更新パイプ８４の１つから選択する。タイ
ミング生成装置８６には各指定領域の座標位置と併せてその領域が割り当てられた更新パ
イプ８４が提供される。タイミング生成装置８６はディスプレイ２６および電源モジュー
ル３８に選択されたインパルスデータを提供する。
【０１０７】
すなわち、ディスプレイ２６に表示される画像データは複数の更新パイプに保存されて
いる。タイミング生成装置８６は、複数の更新パイプに分散して保存されている画像デー
タをディスプレイ２６の座標の順に出力する。画像を回転した状態で表示する場合も、同
様に回転後のディスプレイ２６の座標の順に出力する。
【０１０８】
システム２０は前述に記述されたものに加えたコンポーネントを含み得ることが理解さ
れよう。さらに、ディスプレイコントローラー２８はさらなるモジュール、装置、または
コンポーネントを含み得る。本開示を不必要に複雑にしないよう、クレームされる発明の
原理を理解するために必要なモジュール、装置、またはコンポーネントが説明されている
。
【０１０９】
一実施形態で、更新モード選択モジュールまたはパイプ選択モジュールは機械読み取り
可能な媒体に記憶される命令を実行することにより本明細書に説明される操作および方法
の一部またはすべてを行うことができる。
【０１１０】
本説明において、「一実施形態」または「ある実施形態」への言及がなされ得る。これ
らの言及は実施形態に関連して説明される特定の特長、構造、または特徴がクレームされ
る発明の少なくとも１つの実施形態に含まれることを意味する。従って色々な個所におけ
る「一実施形態で」または「一実施形態」という言い回しは必ずしも同じ実施形態を指す
ものではない。さらに特定の特長、構造、または特徴は１つ以上の実施形態において組み
合わせることができる。
【０１１１】
明快な理解の目的から実施形態がかなり詳細に説明されたが、添付クレームの範囲内で
ある変更および修正を行い得ることは明らかであろう。従って、説明される実施形態は限
定的ではなく例示的とみなされ、クレームされる発明は本明細書にある詳細に限定されず
、添付クレームの範囲および同等のものの中で修正し得るものである。さらに、前述の明
細書において用いられた用語および言い回しは限定ではなく説明上の用語として使用され
、このような用語および言い回しを示され説明される特長またはその一部と同等のものを
排除する意図はなく、発明の範囲は続くクレームによってのみ定義され限定されることが
理解される。
【符号の説明】
【０１１２】
２４…ディスプレイ装置、２６…ディスプレイ、４０…ピクセル、４６…行電極、４８
…列電極、５４…マイクロカプセル、５６…白粒子、５８…黒粒子、５９…ピクセル電極
。
【図１】
0005304914.tif 000004
【図２】
0005304914.tif 000005
【図３】
0005304914.tif 000006
【図４】
0005304914.tif 000007
【図５】
0005304914.tif 000008
【図６】
0005304914.tif 000009